【事件の表示】
　特願２００７−１６０５２６「エマルション燃焼装置」拒絶査定不服審判事件〔平成２０年１２月２５日出願公開、特開２００８−３０９４５５〕について、次のとおり審決する。
【結　論】
　本件審判の請求は、成り立たない。
【理　由】
１．手続の経緯・本願発明
　本願は，平成１９年６月１８日の出願であって，平成２４年４月２３日付けで拒絶の理由が通知されたが，これに対する応答はなく，平成２４年８月２３日付けで拒絶査定がなされ，それに対して，平成２４年１１月２８日に拒絶査定不服審判の請求がなされたものである。
　そして，この出願の請求項１〜７に係る発明は，願書に添付された明細書，特許請求の範囲及び図面の記載からみて，特許請求の範囲の請求項１〜７に記載された事項により特定されるとおりのものと認められるところ，その請求項１に記載された発明（以下，「本願発明」という。）は，次のとおりである。
「【請求項１】
　燃料油供給部，水供給部，及び乳化剤供給部と，
　複数のラビリンス状凹部の撹拌室に前記燃料油供給部と水供給部と乳化剤供給部とから供給された所定割合の燃料油，水，乳化剤を通過させることで水粒子を微細均一化させながらエマルション燃料を作る静止型ミキサーと，
　前記静止型ミキサーから供給されるエマルション燃料を燃焼させる燃焼部と，
　を備えたことを特徴とするエマルション燃焼装置。」
　
２．刊行物
　原査定の拒絶の理由に引用文献１として引用された特開２００４−２８６３１０号公報（以下，「刊行物１」という。）には，次の事項が図面とともに記載されている。
　
・「【０００１】
【発明の属する技術分野】
本発明は，化石燃料を燃焼させて熱エネルギーを発生させるバーナ装置において，高い比率の水を含む水エマルジョン燃料を燃焼させることを可能とすることによって，化石燃料の節減と，燃焼排気物におけるＣＯ，ＣＯ２の削減とを図り，環境保全に寄与することができる電磁誘導式のバーナ装置に関する。」
・「【０００４】
エマルジョン化機器としては，従来，所定の割合で定量された水と油とを，内部に攪拌羽根を装置したミキシングタンクに導き，乳化剤添加条件下において攪拌羽根をモータ駆動することによって，油水を互いに混合させる方式のものが利用されている。ただし，この攪拌方式によって得られるエマルジョン燃料は，油水の分散粒のサイズが大きく，油は油としての特性を失わず，また，水は水としての特性を失ってはいない状態である。したがって，暫く静置することにより両者が容易に分離してしまうとともに，直ちに燃焼させた場合においても，油のみが燃焼し水は水蒸気に形態を転じて残存する結果となることが多い。すなわち，油に混ぜられた水は，熱の発生に何ら寄与しないばかりか，かえって油の着火性を低下させる働きをすることとなる。これを防ぐ方策として従来は，一のミキシングタンクを経たエマルジョン燃料を攪拌羽根の態様が異なる第二，第三のミキシングタンクを通過させる方法が採られている。かくして，従来のエマルジョン化機器は，一般家庭は，言うまでもなく，工業用途においても相当の設置スペースを要求する大規模システムとなり，その小型高性能化が切望されている。」
・「【００１２】
この構成に係る電磁誘導式バーナ装置は，油水のエマルジョン化の面に関する特徴と，エマルジョン化された水エマルジョン燃料の燃焼面における特徴とを有する。
【００１３】
本発明におけるエマルジョン化面に関する特徴は，従来利用されてきた攪拌羽根を備えるミキシング装置のような可動部分を有しない静止型混合機が用いられている点である。静止型混合機は，定量された水と燃料の粗混合物の通路にハニカムフィルタを設置するのみの簡単な構成であって，現在得ることが可能な最も理想に近い水エマルジョン燃料を短時間に生産することができるとともに，装置規模の格段の小型化を達成することができるものである。なお，本発明のバーナ装置に使用される静止型混合機は，独立の静止型混合機として既に特許権を取得している。
【００１４】
この静止型混合機において使用されるハニカムフィルタは，分流ハニカムコアと合流ハニカムコアとからなる。分流ハニカムコアは，一箇所に同時に圧入された水と燃料とを迷路を経由して多箇所に分流する。迷路は，樹状ではなくメッシュ状に形成されており，部分的に分流と合流とを反復しながら多箇所に分流する仕組みである。また，合流ハニカムコアは，同様のメッシュ状の迷路を経由して，多箇所に分流した水と燃料と一箇所に合流させる機能を有する。分流ハニカムコアと合流ハニカムコアは，ペアとして用いられ１ユニットのハニカムフィルタを構成している。
【００１５】
そして，静止型混合機において特に有利な点は，用いるハニカムフィルタのユニット数によって，ユニット数比例的に油水の分散度合いを高めることができることである。したがって，ハニカムフィルタを何ユニット用いるかは，水エマルジョン燃料の用途や，要求される加水比率等によって自由に決定することができる。ただし，ユニット数の増加は，静止型混合機に油水の粗混合燃料を圧送する際の所要圧送圧力を増大させる。また，ハニカムフィルタユニットは，可動部分を有しないため極めて小型であり，ユニット数の増加による装置規模の肥大化は無視し得る。」
・「【００１９】
【発明の実施の形態】
以下，図面を引用しながら本発明の実施の形態例を説明する。
【００２０】
本発明に係る水エマルジョン燃料用の電磁誘導式バーナ装置は，エマルジョン化機器として用いられる定量混合機１０および静止型混合機２０，燃焼機器として用いられるバーナ本体３０を主要部としてなる（図１）。
【００２１】
定量混合機１０は，攪拌機１４，および配管系を介して攪拌機１４に連絡する水槽１１，燃料槽１２，乳化剤槽１３等からなり，静止型混合機２０に送る水と燃料を予め設定された割合によって定量し，粗混合することを目的とする。水槽１１，燃料槽１２および乳化剤槽１３には，それぞれ，レベルセンサ１１ａ，１２ａ，１３ａが付属し，液量不足を表示または告知することができる。また，水槽１１，燃料槽１２，乳化剤槽１３と攪拌機１４間の配管系には，制御弁Ｂ１，Ｂ２，Ｂ３が介装され，水，燃料，乳化剤の分量は，これらの制御弁Ｂ１，Ｂ２，Ｂ３に対するフィードバック系１１ｂ，１２ｂによって自動制御される。
【００２２】
定量混合機１４によって定量および粗混合された水燃料混合液は，圧送ポンプ１５によって所定の圧力で静止型混合機２０に送り込まれる。圧送ポンプ１５と静止型混合機２０のインポート２１ａ間には，調整弁Ｂ４および圧力計１６が介装され，必要な圧力を設定することができる。
【００２３】
静止型混合機２０は，ハウジング２１内に多段に重ねた複数ユニットのハニカムフィルタ２２…を備え，インポート２１ａから圧入された水燃料混合液をハニカムフィルタ２２…を通過させることによって，アウトポート２１ｂからサブミクロンレベルに乳化された水エマルジョン燃料を排出する装置であり，したがって，ハウジング２１内に可動部分を有しない，いわゆる静止型である。なお，静止型混合機２０による油水の分散原理は，せん断である。
【００２４】
静止型混合機２０によって生産された水エマルジョン燃料は，減圧槽１７に送られて常圧となり，燃料ポンプ１８によってバーナ本体３０に送られる。なお，燃料ポンプ１８とバーナ本体３０との間には，バーナ本体３０への燃料供給量を調整するための絞り弁Ｂ５が設置されている。」
・「【００２７】
静止型混合機２０は，両端にフランジ２１ｆ，２１ｆを有する筒形の堅固なハウジング２１を有する（図２）。ハウジング２１は，フランジ２１ｆ，２１ｆを貫通する固定ボルトｂ１，ｂ１によってハウジング２１の両端を塞ぐ１対の面板２３，２３を伴う。そして，一方の面板２３には，油水混合液を導入するインポート２１ａが，他方の面板２３には，エマルジョン化した水エマルジョン燃料を排出するアウトポート２１ｂが形成されている。また，１対の面板２３，２３の内側には，それぞれ加圧ブロック２４，２４が装填されている。この加圧ブロック２４，２４は，各面板２３側から螺入する加圧ボルトｂ２，ｂ２を締め込むことによって互いに接近する向きに変位することができる。そして，１対の加圧ブロック２４，２４間に複数ユニットのハニカムフィルタ２２…が挟み込まれている構造である。
【００２８】
１ユニットのハニカムフィルタ２２は，分流ハニカムコア２２Ａと，合流ハニカムコア２２Ｂとからなり（図３），さらに，分流ハニカムコア２２Ａは，中心に混合対象物を受け入れる導入孔２Ｅを有する外側エレメント２Ａと，導入孔２Ｅを有しない内側エレメント２Ｂとからなる（図４）。同様に，合流ハニカムコア２２Ｂは，中心に混合した対象物を排出する排出孔２Ｄを有する外側エレメント２Ａと，排出孔２Ｄを有しない内側エレメント２Ｂとからなる。それぞれのエレメントには，六角網目状に連続するリブ２Ｋが形成されており，外側エレメント２Ａと内側エレメント２Ｂとは，リブ２Ｋを形成した側を向かい合わせとし，この際にリブ２Ｋを構成する六角網目が一致しないようにして重ね合わされる。また，各エレメントには，六角網目が一致しないことを保障するための符合部２Ｆ…が形成されている。この結果，重ね合わされた外側エレメント２Ａと内側エレメント２Ｂ間には，複雑に分岐した迷路が形成されることとなる。このようにして一体化された分流ハニカムコア２２Ａと合流ハニカムコア２２Ｂとは，互いの内側エレメント２Ｂ，２Ｂを内側として組み合わされ，１ユニットのハニカムフィルタ２２を構成する。
【００２９】
そして，１ユニットのハニカムフィルタ２２における混合対象物の移行経路は，分流ハニカムコア２２Ａの導入孔２Ｅから外側エレメント２Ａと内側エレメント２Ｂ間の迷路を通過して分流ハニカムコア２２Ａの外周に抜け出した上，合流ハニカムコア２２Ｂの外周部からその外側エレメント２Ａと内側エレメント２Ｂ間の迷路に侵入し，中心の排出孔２Ｄに集まって外部に至る経路である。ハニカムフィルタ２２を多ユニット重ねて使用する場合には，かかる経路による混合対象物の移行が反復して行われる。したがって，静止型混合機２０においては，ユニット数比例的に混合対象物の分散度を高めることができるのである。」
・「【００３２】
【発明の効果】
以上に説明したように，本発明に係る電磁誘導式バーナ装置は，静止型混合機によって得られる高度にエマルジョン化された水エマルジョン燃料を高周波コイルによる電磁励振加熱下において，水分子が極臨界酸化作用を起こす際の温度臨界点と圧力臨界点とを低下させて燃焼させるので，普通燃料によって高温に予熱する大型の気化チャンバ等を必要とせず，実用的な小型のバーナ装置によって高い加水比率の水エマルジョン燃料を安定に燃焼させることができるという効果を奏する。」
　
・段落【００２２】には，「定量混合機１４によって定量および粗混合された水燃料混合液は，圧送ポンプ１５によって所定の圧力で静止型混合機２０に送り込まれる。」と記載されているから，静止型混合機２０に供給されるのは，所定割合の水，燃料，乳化剤であるといえる。
　
　よって，上記記載事項及び図面によると，刊行物１には，次の発明が記載されていると認められる（以下，この発明を「刊行物１に記載された発明」という。）。
「燃料槽１２，水槽１１，及び乳化剤槽１３と，
　外側エレメント２Ａと内側エレメント２Ｂ間の迷路に前記燃料槽１２と水槽１１と乳化剤槽１３とから供給された所定割合の燃料，水，乳化剤を通過させることで水粒子をサブミクロンレベルに乳化させながら水エマルジョン燃料を作る静止型混合機２０と，
　前記静止型混合機２０から供給される水エマルジョン燃料を燃焼させるバーナ本体３０と，
　を備えた水エマルジョン燃料用の電磁誘導式バーナ装置。」
　
３．対比・判断
　本願発明と刊行物１に記載された発明とを対比すると，刊行物１に記載された発明の「燃料槽１２」は，本願発明の「燃料油供給部」に相当し，以下同様に，「水槽１１」は「水供給部」に，「乳化剤槽１３」は「乳化剤供給部」に，「燃料」は「燃料油」に，「サブミクロンレベルに乳化」は「微細均一化」に，「水エマルジョン燃料」は「エマルション燃料」に，「静止型混合機２０」は「静止型ミキサー」に，「バーナ本体３０」は「燃焼部」に，「水エマルジョン燃料用の電磁誘導式バーナ装置」は「エマルション燃焼装置」に，それぞれ，相当する。
　刊行物１の段落【００２８】の記載より，外側エレメント２Ａと内側エレメント２Ｂとは，リブ２Ｋを構成する六角網目が一致しないように重ね合わされているから，本願発明と同様の構造を有しているものであり，両者の間の迷路は，複数のラビリンス状凹部の撹拌室を有しているといえる。
　
　してみると，両者は，
「燃料油供給部，水供給部，及び乳化剤供給部と，
　複数のラビリンス状凹部の撹拌室に前記燃料油供給部と水供給部と乳化剤供給部とから供給された所定割合の燃料油，水，乳化剤を通過させることで水粒子を微細均一化させながらエマルション燃料を作る静止型ミキサーと，
　前記静止型ミキサーから供給されるエマルション燃料を燃焼させる燃焼部と，を備えたエマルション燃焼装置」
である点で一致し，両者の間に構成上の差異は存在しない。
　そうすると，本願発明は，刊行物１に記載された発明といわざるをえない。
　なお，請求人は，審判請求書において補正案を提示して補正の機会を求め，平成２５年７月３１日付けのＦＡＸにおいて「（１）審査において補正しなかった理由」を述べている。しかしながら，これまで，平成２４年４月２３日付けの拒絶理由通知後と平成２４年１１月２８日付け審判請求時の２回の補正の機会を有していたのにもかかわらず補正がなされなかった。しかも，上述したとおり，本願発明は，拒絶理由通知に示された刊行物１に記載された発明と同一であり，新たに拒絶の理由を通知しなければならないものではない。そうしてみると，あえて補正の機会を与えなければならないとする特別な事情があったものとは認められない。
　
４．むすび
　以上のとおり，本願発明は，刊行物１に記載された発明であるから，特許法第２９条第１項第３号に該当し，特許を受けることができない。
　したがって，その余の請求項に係る発明について検討するまでもなく，本願は，拒絶されるべきものである。
　よって，結論のとおり審決する。